(57)【特許請求の範囲】
【請求項１】
一端側に取付対象物が保持される棒状部材と、
前記棒状部材の他端側を軸方向に挿入可能な筒状部材と、
を備え、
前記棒状部材の前記他端の前記筒状部材に挿入される部分には、前記棒状部材の軸に交差する方向に貫通する貫通孔が設けられ、
前記筒状部材の前記棒状部材が挿入される側の端部には、前記貫通孔を挿通する挿通部材が設けられ、
前記貫通孔は、前記挿通部材の太さよりも広い開口を有することを特徴とする取付対象物取付治具。
【請求項２】
請求項１に記載の取付対象物取付治具であって、
前記筒状部材の前記棒状部材が挿入される側の端部には、前記筒状部材の軸方向に突出する少なくとも２つの突出部を有し、
前記挿通部材は、前記突出部間に掛け渡され、前記貫通孔を挿通することを特徴とする取付対象物取付治具。
【請求項３】
請求項１又は請求項２に記載の取付対象物取付治具であって、
前記貫通孔は、
前記棒状部材の軸に交差する方向に貫通する第１貫通孔であって、前記棒状部材の軸方向に長い第１貫通孔と、
前記棒状部材の軸に交差する方向に貫通し、前記棒状部材の前記他端側から前記第１貫通孔に接続する第２貫通孔であって、前記第１貫通孔の孔幅よりも広い孔幅を有する第２貫通孔と、
を備え、前記棒状部材を前記筒状部材に挿入するときにおいて、前記第１貫通孔は前記挿通部材を前記棒状部材の軸方向に案内することを特徴とする取付対象物取付治具。
【請求項４】
請求項３に記載の取付対象物取付治具であって、
前記貫通孔において、前記第１貫通孔の孔幅から前記第２貫通孔の孔幅に遷移するための傾斜部を有することを特徴とする取付対象物取付治具。
【請求項５】
請求項１乃至請求項４のいずれかに記載の取付対象物取付治具であって、
前記棒状部材の前記他端の外形形状は半球形状を有することを特徴とする取付対象物取付治具。
【請求項６】
請求項１乃至請求項５のいずれかに記載の取付対象物取付治具であって、
前記棒状部材の前記他端の外周形状及び前記筒状部材の前記棒状部材が挿入される端部の外周形状は、ともに円筒形状を有することを特徴とする取付対象物取付治具。
【請求項７】
請求項１乃至請求項６のいずれかに記載の取付対象物取付治具であって、
前記棒状部材の前記一端側に自在継手が取り付けられ、前記棒状部材は前記自在継手を介して前記取付対象物を保持することを特徴とする取付対象物取付治具。
【請求項８】
請求項１乃至請求項７のいずれかに記載の取付対象物取付治具であって、
前記筒状部材にグリップを設けることを特徴とする取付対象物取付治具。
【請求項９】
請求項１乃至請求項７のいずれかに記載の取付対象物取付治具であって、
前記筒状部材に当該筒状部材の長手方向に長さを延長する棒状工具を設けることを特徴とする取付対象物取付治具。
【発明の詳細な説明】
【技術分野】
【０００１】
本発明は、取付対象物を取付相手に取り付けるための取付対象物取付治具に関する。
【背景技術】
【０００２】
測定器などの取付対象物を測定期間中において一時的に測定対象の底面等に取り付けることがある。測定器の取付にあっては、測定器を作業者自らの手で把持して行う方法や、棒状工具の先端に取り付けたヤットコ等の把持用工具で把持して行う方法などがある。また、測定器を測定対象に密着して取り付けておくために、測定器側に設けた吸盤の吸着力や磁石の磁力を利用する場合がある。【０００３】
なお、特許文献１には、支柱ホルダーを同一位置に保ったまま回動できる支柱支持具が開示されている。
【先行技術文献】
【特許文献】
【０００４】
【特許文献１】特開２００３−２２７７０１号公報
【発明の概要】
【発明が解決しようとする課題】
【０００５】
作業者自らの手で測定器を把持する方法や、把持用工具で把持する方法を採用した場合、作業者の負担が高く、疲労の原因にもなる。また、この疲労のために作業者に手の震えやブレが生じ、この振動が測定器に伝達されて、測定精度に影響を与えるおそれもある。また、前述の吸盤等の取付補助具を用いる場合において、取付対象物が取付相手から外れてしまったときの落下を防止しなければならない。【０００６】
よって、測定器などの取付対象物を取付相手に取り付けようとする際に確実に取付対象物を保持することができ、取付後においては作業者等からの外力が取付対象物に伝達されにくいことが望まれる。また、取付補助具を用いているにもかかわらず取付対象物が取付相手から外れてしまった場合には、取付対象物が落下しないようにすることが望まれる。【０００７】
本発明は、このような事情に鑑みてなされたものであり、その目的は、取付対象物を取付相手に取り付けようとする際に確実に取付対象物を保持することができ、取付後においては作業者等からの外力が取付対象物に伝達されにくいようにすることができる一方、取付対象物が取付相手から外れてしまった場合には、取付対象物が落下しないようにする取付対象物取付治具を提供することにある。
【課題を解決するための手段】
【０００８】
前述の目的を達成するため、本発明は、取付対象物取付治具であって、一端側に取付対象物が保持される棒状部材と、前記棒状部材の他端側を軸方向に挿入可能な筒状部材と、を備え、前記棒状部材の前記他端の前記筒状部材に挿入される部分には、前記棒状部材の軸に交差する方向に貫通する貫通孔が設けられ、前記筒状部材の前記棒状部材が挿入される側の端部には、前記貫通孔を挿通する挿通部材が設けられ、前記貫通孔は、前記挿通部材の太さよりも広い開口を有することを特徴とする。【０００９】
本発明の取付対象物取付治具によれば、取付対象物を取付相手に取り付ける際には、棒状部材を筒状部材に挿入した状態とすることで、筒状部材に対する棒状部材の移動が拘束される。これにより、筒状部材を把持する作業者により確実に取付対象物を取付相手に接触させることができる。また、取付対象物を取付相手に取り付けた後においては、棒状部材から筒状部材を引き抜くことで、棒状部材に対する筒状部材の拘束を解除することができる。このとき、貫通孔は挿通部材の太さよりも広い開口を有することから、被挿入部材の変位を棒状部材に伝達しにくくすることができる。また、このような状況下で、仮に、取付対象物が取付相手から外れた場合であっても、挿通部材が貫通孔に挿通していることから、棒状部材は被挿入部材に連結されたままである。よって、棒状部材に固定された取付対象物が落下するのを防止することができる。【００１０】
すなわち、取付対象物を取付相手に取り付けようとする際に確実に取付対象物を保持することができ、取付後においては作業者等からの外力が取付対象物に伝達されにくくすることができる一方、取付対象物が取付相手から外れてしまった場合には、取付対象物が落下しないようにする取付対象物取付治具を提供することができる。【００１１】
前述の取付対象物取付治具において、前記筒状部材の前記棒状部材が挿入される側の端部には、前記筒状部材の軸方向に突出する少なくとも２つの突出部を有し、前記挿通部材は、前記突出部間に掛け渡され、前記貫通孔を挿通することが好ましい。【００１２】
このようにすることで、挿通部材は突出部により筒状部材から突出することになるので、貫通孔に対する挿通部材の移動の自由度を高めることができる。また、より大きく棒状部材から筒状部材を引き抜いた状態でも両者の連結状態を維持することができる。そして、作業者が筒状部材の位置をより大きく変位させてしまう場合であっても棒状部材にその変位による外力を伝達しにくくすることができる。【００１３】
前述の取付対象物取付治具において、前記貫通孔は、前記棒状部材の軸に交差する方向に貫通する第１貫通孔であって、前記棒状部材の軸方向に長い第１貫通孔と、前記棒状部材の軸に交差する方向に貫通し、前記棒状部材の前記他端側から前記第１貫通孔に接続する第２貫通孔であって、前記第１貫通孔の孔幅よりも広い孔幅を有する第２貫通孔と、を備え、前記棒状部材を前記筒状部材に挿入するときにおいて、前記第１貫通孔は前記挿通部材を前記棒状部材の軸方向に案内することが好ましい。【００１４】
このようにすることで、棒状部材を筒状部材に挿入するときにおいて、第１貫通孔に挿通部材が通りその移動経路を案内することにより、棒状部材をより容易に筒状部材に挿入することができる。また、第２貫通孔は第１貫通孔よりも広い孔幅を有することから、筒状部材が棒状部材から引き抜かれているときにおいて、第２貫通孔において挿通部材を接触しにくくすることができる。そして、作業者が被挿入部材の位置をより大きく変位させてしまう場合であっても棒状部材にその変位による外力を伝達しにくくすることができる。【００１５】
前述の取付対象物取付治具において、前記貫通孔において、前記第１貫通孔の孔幅から前記第２貫通孔の孔幅に遷移するための傾斜部を有することが好ましい。【００１６】
このようにすることで、挿通部材が第２貫通孔から第１貫通孔に移動する際に、傾斜部を摺動することができるので、挿通部材の移動を行いやすくすることができる。これにより、第１貫通孔に挿通部材が通りやすくなるため、棒状部材をより容易に被挿入部材に挿入することができる。【００１７】
前述の取付対象物取付治具において、前記棒状部材の前記他端の外形形状は半球形状を有することが好ましい。【００１８】
このように、端部の外形形状が半球形状であるので、棒状部材が外筒部材に対して挿通部材を軸として回転する場合において、棒状部材の挿入される側の端部が筒状部材の端部に掛かりにくくすることができる。そのため、作業者が筒状部材の位置について挿通部材を軸として回転させるような変位を生じさせた場合であっても、棒状部材にその変位による外力を伝達しにくくすることができる。【００１９】
前述の取付対象物取付治具において、前記棒状部材の前記他端の外周形状及び前記筒状部材の前記棒状部材が挿入される端部の外周形状は、ともに円筒形状を有することが好ましい。【００２０】
このようにすることで、円筒形状の棒状部材が円筒形状の筒状部材に挿入されることになるので、挿入の際において長手方向を軸とした回転を若干ながら許容することができる。そして、挿入をより容易にし、作業性を向上させることができる。【００２１】
前述の取付対象物取付治具において、前記棒状部材の前記一端側に自在継手が取り付けられ、前記棒状部材は前記自在継手を介して前記取付対象物を保持することが好ましい。【００２２】
このようにすることで、自在継手によって棒状部材と取付対象物との間の角度を可変にすることができるので、取付対象物を所定の角度に傾けた状態で取付相手に取り付けることができる。【００２３】
前述の取付対象物取付治具において、前記被挿入部材にグリップを設けることが好ましい。【００２４】
このようにすることで、作業者は被挿入部材を把持しやすくなるため、作業性を向上させることができる。【００２５】
前述の取付対象物取付治具において、前記筒状部材に当該筒状部材の長手方向に長さを延長する棒状工具を設けることを特徴とすることとしてもよい。【００２６】
このようにすることで、作業者から取付相手が離れている場合においても、取付対象物を取付相手に取り付けることができる。
【発明の効果】
【００２７】
本発明によれば、取付対象物を取付相手に取り付ける際には、棒状部材を被挿入部材に挿入した状態とすることで、被挿入部材に対する棒状部材の移動が拘束される。これにより、被挿入部材を把持する作業者により確実に取付対象物を取付相手に接触させることができる。また、取付対象物を取付相手に取り付けた後においては、棒状部材から被挿入部材を引き抜くことで、棒状部材に対する被挿入部材の拘束を解除することができる。このとき、貫通孔は挿通部材の太さよりも広い開口を有することから、被挿入部材の変位を棒状部材に伝達しにくくすることができる。また、このような状況下で、仮に、取付対象物が取付相手から外れた場合であっても、挿通部材が貫通孔に挿通していることから、棒状部材は被挿入部材に連結されたままである。よって、棒状部材に固定された取付対象物が落下するのを防止することができる。すなわち、取付対象物を取付相手に取り付けようとする際に確実に取付対象物を保持することができ、取付後においては作業者等からの外力が取付対象物に伝達されにくくすることができる一方、取付対象物が取付相手から外れてしまった場合には、取付対象物が落下しないようにする取付対象物取付治具を提供することができる。
【図面の簡単な説明】
【００２８】
【図１】心棒１１が外筒１２に挿入された状態における測定器取付治具１の正面図である。
【図２】心棒１１が外筒１２から引き出された状態における測定器取付治具１の正面図である。
【図３】測定器取付治具１における遊び空間１１１ｂの第１説明図である。
【図４】測定器取付治具１における遊び空間１１１ｂの第２説明図である。
【図５】測定器取付治具１における遊び空間１１１ｂの第３説明図である。
【図６】遊び空間が設けられていない参考例の心棒の説明図である。
【図７】測定器２００を測定器取付治具１に固定する様子の説明図である。
【図８】測定器２００を気中開閉器３００に接触させる様子の説明図である。
【図９】測定器２００の取付後の説明図である。
【図１０】測定器２００の取付後における外筒１２の自由度の説明図である。
【図１１】測定器２００が気中開閉器３００から外れてしまったときの説明図である。
【図１２】自在継手２０を用いて測定器２００を上方の開閉器３００に接触させるときの説明図である。
【図１３】自在継手２０を用いて測定器２００を斜めに接触させるときの説明図である。
【図１４】自在継手２０を用いて測定器２００を横方向に接触させるときの説明図である。
【図１５】継手１６の説明図である。
【図１６】継手１６の固定方法の説明図である。
【発明を実施するための形態】
【００２９】
図１は、心棒１１が外筒１２に挿入された状態における測定器取付治具１の正面図である。図２は、心棒１１が外筒１２から引き出された状態における測定器取付治具１の正面図である。以下、これらの図を参照しつつ、測定器取付治具１（取付対象物取付治具に相当）の構成について説明する。
【００３０】
測定器取付治具１は、心棒１１（棒状部材に相当）と、外筒１２（筒状部材に相当）と、心棒側継手部材１３と、グリップ１５と、連結ピン１２１（挿通部材に相当）を備える。
【００３１】
心棒１１は、円筒形状の部材である。心棒１１は、外筒１２に挿入する挿入端１１ａと、後述する測定器２００が取り付けられる非挿入端１１ｂを有する。心棒１１の非挿入端１１ｂ側には、測定器２００を固定するための心棒側継手部材１３が設けられる。また、心棒１１の挿入端１１ａ側は、その先端外形が半球形状を有するように形成される。心棒１１と心棒側継手部材１３は、一体として射出成形することができる。
【００３２】
また、心棒１１には、直径方向に貫通する貫通孔１１１が設けられる。貫通孔１１１は、連結ピン摺動溝１１１ａと遊び空間１１１ｂを有する。連結ピン摺動溝１１１ａは、心棒１１の軸方向に長い貫通孔であって、連結ピン１２１の直径よりもわずかに大きい程度の孔幅（すなわち、連結ピン１２１が摺動移動可能な程度の孔幅）を有する貫通孔である。また、遊び空間１１１ｂは、連結ピン摺動溝１１１ａの幅よりも広い孔幅を有し、心棒１１の挿入端１１ａ側から連結ピン摺動溝１１１ａに接続する貫通孔である。遊び空間１１１ｂは、連結ピン１２１の直径よりも十分に広い開口を有する。
【００３３】
連結ピン摺動溝１１１ａと遊び空間１１１ｂは、互いにその孔幅が異なることから、連結ピン摺動溝１１１ａの孔幅から遊び空間１１１ｂの孔幅に遷移するための傾斜部１１３を有する。そして、心棒１１を外筒１２に挿入するときにおいて、連結ピン摺動溝１１１ａは、連結ピン１２１を心棒１１の軸方向に案内する。
【００３４】
外筒１２は、その内部を中空とした円筒形状の部材である。外筒１２は、心棒１１が挿入される被挿入端１２ａと、グリップ１５が取り付けられるグリップ端１２ｂを有する。外筒１２の被挿入端１２ａには、外筒１２の軸方向に突出する突出部１２４が対向して２つ設けられる。
【００３５】
突出部１２４は、略三角形状を有しており、その三角形状のほぼ中心に貫通孔を有する。そして、これらの突出部１２４に掛け渡されるように連結ピン１２１としてのボルトが貫通孔と座金１２３を挿通し、ナット１２２に螺合される。連結ピン１２１は、心棒１１における貫通孔１１１を挿通する。なお、本実施形態において突出部１２４は略三角形状としたが、形状はこれに限られず、半円形状であったり台形形状であってもよい。
【００３６】
また、心棒１１において、挿入端１１ａの先端から遊び空間１１１ｂの縁までの距離が短く構成されている。また、突出部１２４により連結ピン１２１を外筒１２の被挿入端１２ａよりも突出した位置に設けることを可能としている。このため、心棒１１から外筒１２が引き抜かれた状態において、心棒１１の挿入端１１ａが外筒１２の被挿入端１２ａに接触しにくい構成となっている。
【００３７】
外筒１２は、外筒側継手部材１４を備える。外筒１２と外筒側継手部材１４は、一体として射出成形することができる。また、グリップ１５は、グリップ側継手部材１５１を備える。グリップ側継手部材１５１は、外筒側継手部材１４の凹形状部分に嵌合する。グリップ側継手部材１５１及び外筒側継手部材１４は、図の左右方向に貫通する不図示の貫通孔を有し、この貫通孔を連結ボルト１４１が挿通する。そして、連結ボルト１４１が座金１４３にも挿通し、ナット１４２に螺合されることにより、グリップ１５は外筒１２に固定される。このようにグリップ１５を有することにより、作業者は測定器取付治具１を把持しやすくなるため、作業性を向上させることができる。
【００３８】
図３は、測定器取付治具１における遊び空間１１１ｂの第１説明図である。図４は、測定器取付治具１における遊び空間１１１ｂの第２説明図である。図５は、測定器取付治具１における遊び空間１１１ｂの第３説明図である。
【００３９】
図３から図５には、心棒１１と、外筒１２の一部と、連結ピン１２１と、ナット１２２と、心棒側継手部材１３が示されている。また、心棒１１においては、連結ピン摺動溝１１１ａと遊び空間１１１ｂが示されている。また、図３から図５は、いずれも心棒１１から外筒１２が引き抜かれた状態を示している。
【００４０】
遊び空間１１１ｂは、図３から図５に示されるように、連結ピン１２１に対して十分に広い開口を有している。このため、図３に示されるように連結ピン１２１が遊び空間１１１ｂの中央部よりも若干下側を挿通している状態においては当然に連結ピン１２１が遊び空間１１１ｂの縁には接触しにくい。
【００４１】
また、前述のように、心棒の挿入端１１ａの先端から遊び空間１１１ｂの縁までの距離が短く、かつ、前述のように突出部１２４により連結ピン１２１が外筒１２の被挿入端１２ａよりも突出した位置に設けられている。また、心棒１１に遊び空間１１１ｂがあるため外筒１２の力が伝わりにくい。そして、連結ピン１２１を軸として外筒１２を回転させるような変位を生じさせた場合であっても、心棒１１にその変位による外力を伝達しにくくすることができる。
【００４２】
また、図４及び図５に示されるように、外筒１２が心棒１１の軸回りに若干の回転角を有した状態でも、遊び空間１１１ｂ内で連結ピン１２１が移動できるので、連結ピン１２１が遊び空間１１１ｂの縁に接触することなく、外筒１２は心棒１１に対して比較的自由に軸回りに回転することができる。そして、外筒１２からの外力を心棒１１に伝達しにくくすることができる。
【００４３】
図６は、遊び空間が設けられていない参考例の心棒の説明図である。図６には、参考例における心棒１０１１と外筒１０１２が示されている。また、外筒１０１２に掛け渡された連結ピン１１２１と、連結ピン１１２１を外筒１０１２に固定するナット１１２２が示されている。
【００４４】
参考例の心棒１０１１は、本実施形態における遊び空間のような広い開口を有しておらず、貫通孔１１１の縁で必ず連結ピン１１２１が接触してしまう。すなわち、作業者が把持する外筒１０１２の位置がブレた場合に、連結ピン１１２１が心棒１０１１の内側に接触し、作業者からの外力が心棒１０１１に伝わってしまう。
【００４５】
これに対し、本実施形態における測定器取付治具１であれば、上述の通り、大きな遊び空間１１１ｂを有するので、心棒１１から外筒１２を引き抜いた状態において、連結ピン１２１は遊び空間１１１ｂの縁に接触しないようにすることができる。すなわち、作業者からの外力が心棒１１に伝わりにくくすることができる。
【００４６】
図７は、測定器２００を測定器取付治具１に固定する様子の説明図である。なお、同図に示す状態では、心棒１１は外筒１２に挿入されている。本実施形態における測定器２００は、測定器取付治具１を用いて気中開閉器３００（図８を参照。取付相手に相当）に取り付けられる。気中開閉器３００は、電柱等に固定される開閉器であるが、外面の腐食等によりその内部に雨水の浸水が発生する場合がある。そのため、測定器２００は、気中開閉器３００内の浸水量を推定するためデータを取得することに用いられる。
【００４７】
前述のように、気中開閉器３００は主に電柱に取り付けられ、また仮に浸水している場合に底部に水が溜まることから、測定器２００は気中開閉器３００の底面に取り付けられることになる。そのため、本実施形態における測定器２００は、その上面側に温度を測定するための温度センサー２２０と、加熱するためのヒーター２３０を備える。また、測定器２００は、その上面側に気中開閉器３００に吸着するための真空ポンプ付吸盤２１０を備える。そして、ヒーター２３０により気中開閉器３００を加熱し、そのときの温度上昇を測定する。そして、その測定値に基づいて浸水量が推定される。
【００４８】
測定器２００は、その底面側に本実施形態における測定器取付治具１に固定されるための測定器側継手部材２０１を備える。図７に示されるように、測定器側継手部材２０１の嵌合部２０１ａの形状は、心棒側継手部材１３の嵌合部１３ａの形状と一致している。このため、図７の図中奥側から図中手前側に向かって測定器側継手部材２０１を心棒側継手部材１３を摺動移動させることにより、測定器側継手部材２０１の嵌合部２０１ａが心棒側継手部材１３の嵌合部１３ａに嵌合した状態となり、図中左右方向における移動を拘束する。
【００４９】
また、測定器側継手部材１０１及び心棒側継手部材１３には、図７の図中左右方向にそれぞれの中心軸が一致する貫通孔２０１ｂ、１３ｂが形成されている。そのため、連結ボルト１３１を貫通孔２０１ｂ、１３ｂ及び座金１３３に挿通し、ナット１３２と螺合することにより、確実に、測定器側継手部材１０１を心棒側継手部材１３に固定することができる。そして、測定器２００と心棒１１を確実に固定することができる。
【００５０】
図８は、測定器２００を気中開閉器３００に接触させる様子の説明図である。上記のようにして測定器２００が測定器取付治具１に固定されると、作業者はグリップ１５を把持して上方に移動させることにより測定器２００を測定対象３００に接触させることができる。
【００５１】
このとき、心棒１１は自重及び測定器２００の重量により外筒１２内に挿入される。そして、心棒１１の半径方向の移動は外筒１２により拘束される。そのため、外筒１２を単に上方に移動させることで測定器２００を安全に上方に移動させることができる。そして、測定器２００の上面を確実に気中開閉器３００の下面に接触させることができる。
【００５２】
測定器２００が気中開閉器３００に接触させられると、真空ポンプ付吸盤２１０において真空ポンプが作動される。すると真空ポンプ付吸盤２１０が気中開閉器３００の底面に吸着するため、測定器２００は気中開閉器３００の底面に固定される。また、このとき、温度センサー２２０とヒーター２３０も気中開閉器３００の底面に接触する。このようにすることにより、ヒーター２３０により気中開閉器３００の底面を加熱して、このときの温度変化を温度センサー２２０で測定することができる。
【００５３】
図９は、測定器２００の取付後の説明図である。上記のようにして、測定器２００が気中開閉器３００の底面に固定されると、外筒１２を下方に引き下ろして心棒１１が外筒１２から引き出された状態とすることができる。このように、測定器２００が気中開閉器に吸着してしまえば、測定器２００を支える必要がないため作業者の負担が軽減される。
【００５４】
また、外筒１２を引き下げて心棒１１が外筒１２から引き出された状態とすることで、心棒１１に対する外筒１２の拘束を解除することができる。前述のように、心棒１１の遊び空間１１１ｂは、連結ピン１２１よりも広い開口を有することから、遊び空間１１１ｂの縁に連結ピン１２１が接触しにくいため、外筒１２の変位を心棒１１に伝達しにくくすることができる。そのため、作業者が外筒１２を多少動かした場合であっても、測定装置２００には外筒の変位に伴う力はほとんど作用しない。
【００５５】
図１０は、測定器２００の取付後における外筒１２の自由度の説明図である。前述の図９のように外筒１２を引き抜いた後において、図１０に示すように外筒１２を心棒１１に対して傾けるようにその位置を変更することができる。
【００５６】
このような動きが可能なのは、前述のように、心棒の挿入端１１ａの先端から遊び空間１１１ｂの縁までの距離が短く、かつ、前述のように突出部１２４により連結ピン１２１が外筒１２の被挿入端１２ａよりも突出した位置に設けられているためである。このように構成することにより、心棒１１から外筒１２が引き抜かれた状態において、心棒１１の挿入端１１ａを外筒１２の被挿入端１２ａに接触しにくくすることができる。
【００５７】
このように、外筒１２を心棒１１に対して傾けることが可能であるので、グリップ１５を介して外筒１２を把持する作業者は、測定器２００の取付後において比較的自由に外筒１２の位置を移動させることができる。そのため、作業者は同じ位置でグリップ１５を把持し続けなくてもよいため、その負担を軽減することができる。
【００５８】
また、心棒１１の挿入端１１ａの先端部が半球形状を有するので、心棒１１が外筒１２に対して連結ピン１２１を軸として回転する場合において、心棒１１の挿入端１１ａが外筒１２の被挿入端１２ａに引っかかりにくい。そのため、連結ピン１２１を軸として作業者が外筒１２を回転させるような変位を生じさせた場合であっても、心棒１１にその変位による外力を伝達しにくくすることができる。
【００５９】
以上のように測定器２００を気中開閉器３００に取り付けた後、測定が終了すると、測定器２００の取り外しを行う。取り外しを行うに際には、外筒１２に心棒１１を挿入するように外筒１２を持ち上げる。そして、心棒１１の半径方向の動きを拘束する。
【００６０】
このとき、心棒１１は連結ピン摺動溝１１１ａを備えるので、連結ピン摺動溝１１１ａに連結ピン１２１が通り、その移動経路を案内することにより、心棒１１をより容易に外筒１２に挿入することができる。さらに、心棒１１は傾斜部１１３を備えるので、連結ピン１２１が遊び空間１１１ｂから連結ピン摺動溝１１１ａに移動する際に傾斜部１１３を摺動することができる。これにより、連結ピン摺動溝１１１ａに連結ピン１２１を案内しやすくなるため、心棒１１をより容易に外筒１２に挿入することができる。
【００６１】
また、遊び空間１１１ｂは連結ピン１２１よりも広い開口を有しているので、心棒１１の挿入を行う際において、心棒１１と外筒１２は互いに中心軸回りに若干の回転を許容することができる。そして、心棒１１の挿入をより容易にし、作業性を向上させることができる。
【００６２】
図１１は、測定器２００が気中開閉器３００から外れてしまったときの説明図である。前述の図１０の状態において、吸盤２１０の劣化等を原因として吸着力が低下し、測定器２００が気中開閉器３００の底面から外れてしまう場合が考えられる。このような場合であっても、連結ピン１２１が貫通孔１１１に挿通されているので、心棒１１は外筒１２に連結されたままである。よって、作業者がグリップ１５を把持している限り、心棒１１に固定された測定器２００が落下するのを防止することができる。
【００６３】
以上のように、本実施形態における測定器取付治具１によれば、測定器２００のような取付対象物を気中開閉器３００のような取付相手に取り付ける際には、心棒１１が外筒１２に挿入されることで、外筒１２に対して心棒１１の半径方向の移動が拘束される。これにより、外筒１２を把持する作業者により確実に取付対象物を取付相手に接触させることができる。
【００６４】
また、取付対象物を取付相手に取り付けた後においては、外筒１２を下方に引き下ろして心棒１１が外筒１２から引き出された状態とすることで、心棒１１に対する外筒１２の拘束を解除することができる。このとき、遊び空間１１１ｂは、連結ピン１２１の直径よりも広い開口を有することから、遊び空間１１１ｂの縁に連結ピン１２１が接触しにくい。そのため、外筒１２の変位を心棒１１に伝達しにくくすることができる。
【００６５】
また、このような状況下で、仮に、取付対象物が取付相手から外れた場合であっても、連結ピン１２１が遊び空間１１１ｂに挿通していることから、心棒１１は外筒１２に連結されたままである。よって、心棒１１に固定された取付対象物が落下するのを防止することができる。
【００６６】
図１２は、自在継手２０を用いて測定器２００を上方の気中開閉器３００に接触させるときの説明図である。前述の実施形態では、測定器２００と心棒１１は、心棒側継手部材１３と測定器側継手部材２０１によってその位置を固定されていた。この場合、測定器２００の取付方向に向かうように作業者がグリップ１５を把持しなければならず、例えば、狭い場所などの作業性の悪い環境においては、測定器２００の取り付けを行いにくい場合もある。
【００６７】
これに対し、図１２に示すように、心棒１１の非挿入端１１ｂ側に自在継手２０を取り付け、この自在継手２０を介して測定器２００と連結することもできる。自在継手２０は、測定器２００と心棒１１の接合する角度を自由に変化させることができる。このため、例えば図１２に示すように、心棒１１の軸方向と測定器２００の取付方向が一致しない場合であっても、測定器２００を気中開閉器３００に取り付けることができる。そして、作業者の作業性を高めることができる。
【００６８】
図１３は、自在継手２０を用いて測定器２００を斜めに接触させるときの説明図である。前述のように、自在継手２０によって、心棒１１と外筒１２との間の角度を可変とすることができるので、心棒の軸方向が上方を向いた状態で測定器取付治具１を把持して、斜めの壁面に測定器２００を取り付けることができる。
【００６９】
図１４は、自在継手２０を用いて測定器２００を横方向に接触させるときの説明図である。前述のように、自在継手２０によって、心棒１１と外筒１２との間の角度を可変とすることができるので、測定器取付治具１を斜めに把持した状態で、側壁に測定器２００を取り付けることもできる。
【００７０】
以上のように、本実施形態における測定器取付治具１を説明したが、実施形態はこれに限られない。例えば、測定器２００において加速度センサーを設けることとして、測定対象物の振動を測定することとしてもよい。このように、加速度センサーを用いて振動を測定する場合においても、本実施形態における測定器取付治具１であれば、作業者の振動を測定器２００に伝達しにくいので、精度の高い測定を行うことができる。
【００７１】
図１５は、継手１６の説明図である。前述の実施形態では、心棒側継手部材１３を介して心棒１１と測定器２００とが固定されていたが、継手１６を用いてこれらを固定することもできる。また、前述の実施形態では、外筒側継手部材１４を外筒１２とグリップ１５との間に挟んで両者が固定されていたが、継手１６のみを介してこれらを固定することもできる。
【００７２】
図１５には、心棒１１と外筒１２と継手１６が示されている。継手１６は、継手凸部材１６１と継手凹部材１６２と締め付け部材１６３を備える。継手凸部材１６１及び締め付け部材１６３は、心棒１１及びグリップ１５に設けられる。一方、継手凹部材１６２は、測定器２００及び外筒１２に設けられる。
【００７３】
継手凸部材１６１は、円筒状の部材であって、その側面には突起１６１ａが設けられる。継手凸部材１６１の根本側には締め付け部材１６３が設けられる。継手凸部材１６１の根本側外周と締め付け部材１６３の内周はともに螺刻されており、締め付け部材１６３を回転させることによって、締め付け部材１６３は継手凸部材１６１の長手方向に移動可能である。
【００７４】
継手凹部材１６２は、その内部が中空の円筒状の部材であって、継手凸部材１６１を長手方向に挿入可能である。また、継手凹部材１６２には、継手凸部材１６１が継手凹部材１６２に挿入されると突起１６１が通過可能な溝部１６２ａが設けられている。溝部１６２は、突起１６１が継手凹部材１６２の長手方向に進入し、その経路がＪ字状に折り返すことが可能な形状となっている。
【００７５】
図１６は、継手１６の固定方法の説明図である。固定過程において、最初に継手凸部材１６１が継手凹部材１６２の中空部に挿入される。このとき、突起１６１ａも溝部１６２ａを通る（図１６Ｂ）。次に、継手凸部材１６１が軸回りに回転される（図１６Ｃ）。そして、突起１６１ａが溝部１６２ａのＪ字状溝端に嵌め込まれる。その後、締め付け部材１６３を回転させて、継手凸部材１６１と継手凹部材１６２とが固定される。
【００７６】
また、真空ポンプ付吸盤２１０により取付相手に吸着することとして説明を行ったが、取付相手に吸着する方法としてはこれに限られず、磁石の磁力を利用して吸着することとしてもよい。
【００７７】
また、本実施形態において、取付対象物取付治具の一形態として測定器取付治具１を説明したが、取付対象物は測定器２００に限られず、測定器２００以外のものについても取付相手に取付対象物を取り付ける際に用いることができる。
【００７８】
また、心棒１１と外筒１２をともにその外周形状を円筒状形状として説明したが、心棒１１を外筒１２内に挿入可能であって、外筒１２によって心棒１１の幅方向の移動を拘束することができれば、多角柱形状を有するものとしてもよい。
【００７９】
また、貫通孔１１１が連結ピン摺動溝１１１ａと遊び空間１１１ｂを有するものとして説明したが、貫通孔１１１の形状はこれに限られず、遊び空間１１１ｂのような広い開口を１つ有することとしてもよい。
【００８０】
また、心棒側継手部材１３を用いて測定器２００と心棒１１とを連結することとしたが、連結方法はこれに限られない。アタッチメントを用いて取付対象物を容易に交換可能な機構としてもよい。
【００８１】
また、本実施形態では円筒状のグリップ１５を外筒１２の下部に両者の中心軸をほぼ同一にして設けることとしたが、外筒１２下部においてその中心軸と直交するようなグリップを設けるなどとしてもよい。また、グリップ１５をより長い棒状工具とすることもできる。そして、作業者から取付相手が離れている場合においても、取付対象物を取付対象に取り付けることができる。
【００８２】
以上の実施形態の説明は、本発明の理解を容易にするためのものであり、本発明を限定するものではない。本発明はその趣旨を逸脱することなく、変更、改良され得ると共に本発明にはその等価物が含まれる。
【符号の説明】
【００８３】
１…測定器取付治具（取付対象物取付治具）、１１…心棒（棒状部材）、１１ａ…挿入端、１１ｂ…非挿入端、１２…外筒（筒状部材）、１３…心棒側継手部材、１４…外筒側継手部材、１５…グリップ、２０…自在継手、１００…測定器（取付対象物）、１０１…測定器側継手部材、１１１…貫通孔、１１１ａ…連結ピン摺動溝（第１貫通孔）、１１１ｂ…遊び空間１１１ｂ（第２貫通孔に相当）、１１３…傾斜部、１２１…連結ピン（挿通部材）、１２２…ナット、１２３…座金、１２４…突出部、１３１…連結ボルト、１３２…ナット、１３３…座金、１４１…連結ボルト、１４２…ナット、１４３…座金、１５１…グリップ側継手部材、２００…測定器（取付対象物）、２０１…測定器側継手部材、２１０…真空ポンプ付吸盤２１０、２２０…温度センサー、３００…気中開閉器（取付相手）
【図１】
0005763864.tif 000002
【図２】
0005763864.tif 000003
【図３】
0005763864.tif 000004
【図４】
0005763864.tif 000005
【図５】
0005763864.tif 000006
【図６】
0005763864.tif 000007
【図７】
0005763864.tif 000008
【図８】
0005763864.tif 000009
【図９】
0005763864.tif 000010
【図１０】
0005763864.tif 000011
【図１１】
0005763864.tif 000012
【図１２】
0005763864.tif 000013
【図１３】
0005763864.tif 000014
【図１４】
0005763864.tif 000015
【図１５】
0005763864.tif 000016
【図１６】
0005763864.tif 000017